(57)【要約】【課題】  ラット等の実験動物のみならず家畜などの他の動物種にも応用できる、簡便であり、確実性、汎用性の高い哺乳動物の人工的偽妊娠の誘起方法および偽妊娠動物への移植受精卵からの産子作出方法を提供すること。また、小型軽量で操作の簡便な哺乳動物の移植受精卵からの産子作出用の人工的偽妊娠誘起具を提供すること。【解決手段】  哺乳動物の移植受精卵からの産子作出方法は、少なくとも以下の工程＜ａ＞＜ｂ＞を含む。すなわち、＜ａ＞哺乳動物の偽妊娠誘起具を発情前期乃至発情期の哺乳動物の膣内に挿入し、偽妊娠誘起具の先端部を哺乳動物の子宮頚部に当接させ、子宮頚部に振動刺激を与えて偽妊娠を誘起させる工程；＜ｂ＞工程＜ａ＞の後、哺乳動物の卵管および子宮内に前核期から桑実胚のいずれかの発育段階にある受精卵を移植する工程、の各工程を含んでいる。【選択図】図１
2020182838.tif 000002
【特許請求の範囲】
【請求項１】
少なくとも以下の工程＜ａ＞＜ｂ＞を含むことを特徴とする哺乳動物の移植受精卵からの産子作出方法。
＜ａ＞哺乳動物の偽妊娠誘起具を発情前期乃至発情期の哺乳動物の膣内に挿入し、前記偽妊娠誘起具の先端部を前記哺乳動物の子宮頚部に当接させ、該子宮頚部に振動刺激を与えて偽妊娠を誘起させる工程；
＜ｂ＞前記工程＜ａ＞の後、前記哺乳動物の卵管および子宮内に前核期から桑実胚のいずれかの発育段階にある受精卵を移植する工程。
【請求項２】
前記哺乳動物が、不完全性周期動物であることを特徴とする請求項１に記載の哺乳動物の移植受精卵からの産子作出方法。
【請求項３】
前記不完全性周期動物が、げっ歯目、重歯目、食虫目からなる群より選択される１種であることを特徴とする請求項２に記載の哺乳動物の移植受精卵からの産子作出方法。
【請求項４】
前記工程＜ａ＞の完了後、１２時間〜２４時間以内に、前記工程＜ｂ＞として、二細胞期の受精卵を移植することを特徴とする請求項１から３のいずれか一項に記載の哺乳動物の移植受精卵からの産子作出方法。
【請求項５】
前記工程＜ａ＞の完了から２０時間〜２４時間以内に、前記工程＜ｂ＞として、前核期の受精卵を移植することを特徴とする請求項１から３のいずれか一項に記載の哺乳動物の移植受精卵からの産子作出方法。
【請求項６】
前記工程＜ａ＞における前記振動刺激が、毎分１８，０００〜２５，０００回であることを特徴とする請求項１から５のいずれか一項に記載の哺乳動物の移植受精卵からの産子作出方法。
【請求項７】
前記工程＜ａ＞における前記振動刺激として、１回３０秒の刺激を２〜７回繰り返し、かつ該刺激と刺激との間に３０秒〜５分のインターバルを挟むことを特徴とする請求項１から６のいずれか一項に記載の哺乳動物の移植受精卵からの産子作出方法。
【請求項８】
前記工程＜ａ＞における前記振動刺激として、３０秒〜１２０秒の刺激を１回与えることを特徴とする請求項１から６のいずれか一項に記載の哺乳動物の移植受精卵からの産子作出方法。
【請求項９】
偏心分銅付きモータからなる振動発生装置と、
前記モータを収容するモータ収容部を有した本体部と、
前記本体部の先端部に対して着脱自在とされた、哺乳動物の膣内に挿入可能な挿入部材と、
を備える哺乳動物の移植受精卵からの産子作出用の偽妊娠誘起具。
【請求項１０】
前記哺乳動物が、不完全性周期動物であることを特徴とする請求項９に記載の哺乳動物の移植受精卵からの産子作出用の偽妊娠誘起具。
【請求項１１】
前記不完全性周期動物が、げっ歯目、重歯目、食虫目からなる群より選択される１種であることを特徴とする請求項１０に記載の哺乳動物の移植受精卵からの産子作出用の偽妊娠誘起具。
【請求項１２】
前記モータによって生じる振動が、毎分１８，０００〜２５，０００回であることを特徴とする請求項９から１１のいずれか一項に記載の哺乳動物の移植受精卵からの産子作出用の偽妊娠誘起具。
【請求項１３】
前記挿入部材が弾性体であることを特徴とする請求項９から１２のいずれか一項に記載の哺乳動物の移植受精卵からの産子作出用の偽妊娠誘起具。
【請求項１４】
前記弾性体の先端に、金属製の接触端部を備えることを特徴とする請求項１３に記載の哺乳動物の移植受精卵からの産子作出用の偽妊娠誘起具。 
【発明の詳細な説明】
【技術分野】
【０００１】
本発明は、哺乳動物の移植受精卵からの産子作出方法およびこれに用いる偽妊娠誘起具に関するものである。
【背景技術】
【０００２】
生命科学研究分野において最も利用されている実験動物は、ラット、マウス、ハムスター等のげっ歯類動物である。中でも、ラットとマウスは古くから多様な生物学実験に利用されてきた。例えば、マウスは、多くの近交系やそれから発生したコンジェニック系統等の存在から、遺伝学や免疫学研究に利用されてきた。また、近年、飛躍的に技術革新が進んでいる発生工学分野では、トランスジェニックマウスの作出が容易であることから、様々なヒト疾患モデル動物が作出されており、医学研究に欠くことができない存在である。
【０００３】
一方、ラットは、マウスと比較して体重ベースで１０〜１５倍程度身体が大きいため、臓器由来の酵素の精製等の大量の材料を必要とする生化学実験や、解剖のしやすさから病態・病理学的研究に利用されてきた。また、生理学的にヒトに近い特徴を示すことから、高血圧や糖尿病などのヒト疾患モデルとして医学・創薬研究に利用されており、近年ではゲノム編集技術の利用により多くの疾患モデル系統が作製されている。
【０００４】
これらのげっ歯類動物は、哺乳動物の中でも繁殖力が旺盛である。その理由の一つとして、性周期が短いことが挙げられる。性周期（月経周期）は、排卵と排卵の間隔であり、ヒトでは２４日から３２日間の周期を持つ。哺乳動物の性周期には、完全性周期と不完全性周期があり、前者は卵胞期、排卵、黄体期という一連の過程から成るが、後者は黄体期を欠く短い性周期である。
【０００５】
ヒトをはじめとする完全性周期動物では、排卵に先行するのが卵胞期であり、エストロゲンの分泌が高まる。排卵後は黄体期と呼ばれ、プロジェステロンの分泌が高まる。プロジェステロンは、雌の子宮内膜に着床性増殖を誘起したり、妊娠を維持させるのに必要な黄体ホルモンの一種である。
【０００６】
一方、不完全性周期動物には、前述のラット、マウス、ハムスター等のげっ歯類の他、ウサギ、ナキウサギ等の重歯類、スンクス（トガリネズミ）等の食虫類、ネコ等の食肉類等が含まれるが、これらの動物では、排卵後に形成される黄体がプロジェステロン（黄体ホルモン）分泌能を持たないまま機能的に退行するので、前記のとおり黄体期を欠いた性周期となり、直ちに次回の排卵にむけて卵胞の成熟が開始する。そのため、例えば、ラットやマウス等では、発情前期(Proestrus)、発情期(Estrus)、発情後期(Metestrus)、発情休止期(Diestrus)の４期からなる性周期をわずか約４日間という短い時間で繰り返している。
【０００７】
このような不完全性周期動物の性周期に関する研究の過程において、ラットやマウス等では、交尾の結果、黄体ホルモンが分泌されること、また、分泌された黄体ホルモンにより、一定期間排卵が抑制されるため、妊娠が維持されることが明らかとなった。すなわち、一部の不完全性周期動物においては、交尾自体が妊娠を維持するための生理的環境を整える上で必須の要素であった。
【０００８】
また、近年、発生工学分野において、特定の遺伝子を導入したトランスジェニック動物の作出が盛んに行われており、中でも、マウスについてはトランスジェニック個体の作出が容易であることから多様なモデル動物が生み出されている。一方、ラットは繊細であるため、マウスで用いられた方法を適用してもトランスジェニック個体の作出が難しい。ラットのトランスジェニック個体は、古典的な交配のほか、体外受精法や顕微授精法により作成した受精卵を遺伝子改変し、得られた受精卵をレシピエントとなる雌ラットの卵管および子宮内に移植することで新たな遺伝的形質を導入した産子を計画的に作出している。ラットでの受精卵移植においては、前述のように移植する雌に交尾刺激を与えなければ、黄体ホルモンが分泌されず、妊娠を維持することができない。そのため、従来、あらかじめ精管を結紮した（精子がない）雄ラットと、レシピエントとなる雌ラットとを交尾させることで交尾刺激を与え、黄体ホルモンの分泌を促したあとで、受精卵を移植することによりトランスジェニックラットを作出していた。
【０００９】
しかしながら、上記従来の方法では、雌に交尾刺激を与えるためだけに、精管の結紮手術を施した雄ラットをあらかじめ準備する必要があり、実験動物の削減の観点から好ましくなく、しかも、多くの費用と労力を要し、作業効率や費用対効果が良好とは言えなかった。また、受精卵を移植する雌ラットと精管結紮雄とを１匹ずつ同一の飼育ケージ内にて飼育する必要があり、しかも交尾行動については人為的に強制することはできず、雄ラットまかせであった。そのため、雄ラットと雌ラットの相性や、交尾行動の成功率に左右されてしまい、時間の短縮や確実性の向上が求められていた。
【００１０】
一方、ラットやマウス等を交尾させた後、交尾栓の形成が確認され、かつ黄体ホルモン量の増加とそれに伴う排卵の抑制は認められるものの、実際には妊娠していない「偽妊娠」と呼ばれる現象が知られており、そのメカニズムについての研究が進められてきた。これまでに、様々な偽妊娠の誘起方法が提案されている（例えば、非特許文献１−３を参照）。
【００１１】
非特許文献１では、ガラス棒を雌ラットの膣内に挿入、抽挿し、人手により子宮頚部を物理的に刺激する方法が提案されている。
【００１２】
非特許文献２では、ラットの膣内に銅線の双極電極を挿入し、所定の交流を５秒間、３回通電することにより偽妊娠を誘起する方法が提案されている。この方法では、１６Ｖ以上の電圧で刺激することにより、１００％偽妊娠を誘起することができるとされている。
【００１３】
非特許文献３では、疑似的な交尾刺激として１２０サイクル／秒程度の周波数の振動を雌ラットの生殖器に与えることで、偽妊娠を誘起することができるとされている。
【００１４】
しかしながら、非特許文献１に記載の方法では、ガラス棒を手動で動かすため、施術者の技量の差等により偽妊娠の誘起率が変動し、再現性や確実性に難があった。そのため、より確実に偽妊娠状態を誘起させることができる装置や手技の開発が求められていた。
【００１５】
非特許文献２に記載の方法では、簡便かつほぼ確実に偽妊娠を誘起することができるものの、ラットの膣内に銅線の双極電極を挿入し、通電することを技術的特徴とするため、近年の実験動物に対する動物愛護の観点から代替技術に置換することが望ましいと考えられる。
【００１６】
非特許文献３に記載の方法は、振動刺激の振動数（周波数）や印加方法について改善の余地が残されていた。
【００１７】
また、非特許文献１〜３に記載の方法は、いずれも偽妊娠という生命現象そのものについて研究することを目的としたものであり、その産業上の利用については必ずしも十分に検討されていなかった。
【先行技術文献】
【非特許文献】
【００１８】
【非特許文献１】De Feo, V. J.: Endocrinology 72:303(1963)
【非特許文献２】菅原七郎、竹内三郎：日本畜産学会報 35：80(1964)
【非特許文献３】De Feo, V. J.: Endocrinology 79:440(1966)
【発明の概要】
【発明が解決しようとする課題】
【００１９】
以上のような背景から、本発明者らは、鋭意研究を進めた結果、振動発生装置を備える器具を雌ラットの膣内に挿入し、子宮頚部に振動を与えることで疑似的な交尾刺激を与えることができ、人工的に偽妊娠誘起を再現できる器具およびこれを用いた偽妊娠誘起方法を開発するに至った。さらに、本発明者らは、上記の器具およびこれを用いた偽妊娠誘起方法により得られた偽妊娠誘起雌ラットに特定の発育段階にある受精卵を移植したところ、従来と遜色のない割合で正常な産子が得られることを見出した。そしてまた、本発明者らは、受精卵の移植当日であっても、雌ラットの偽妊娠を誘起させることができ、しかも、受精卵の移植により正常な産子が得られることを見出した。
【００２０】
本発明は、上記の知見に基づいてなされたものであり、ラット等の実験動物のみならず家畜などの他の動物種にも応用できる、簡便であり、確実性、汎用性の高い哺乳動物の人工的偽妊娠の誘起方法および偽妊娠動物への移植受精卵からの産子作出方法を提供することを課題とする。また、本発明は、小型軽量で操作の簡便な哺乳動物の移植受精卵からの産子作出用の人工的偽妊娠誘起具を提供することを課題とする。
【課題を解決するための手段】
【００２１】
本発明によれば、上記課題を解決するため、下記の技術的手法ないし技術的手段が提供される。
〔１〕本発明の哺乳動物の移植受精卵からの産子作出方法は、少なくとも以下の工程＜ａ＞＜ｂ＞を含むことを特徴とする。
【００２２】
＜ａ＞哺乳動物の偽妊娠誘起具を発情前期乃至発情期の哺乳動物の膣内に挿入し、前記偽妊娠誘起具の先端部を前記哺乳動物の子宮頚部に当接させ、該子宮頚部に振動刺激を与えて偽妊娠を誘起させる工程；
＜ｂ＞前記工程＜ａ＞の後、前記哺乳動物の卵管および子宮内に前核期から桑実胚のいずれかの発育段階にある受精卵を移植する工程。
〔２〕本発明の哺乳動物の移植受精卵からの産子作出方法では、前記哺乳動物が、不完全性周期動物であることが好ましく考慮される。
〔３〕また、本発明の哺乳動物の移植受精卵からの産子作出方法では、前記不完全性周期動物が、げっ歯目、重歯目、食虫目からなる群より選択される１種であることが好ましく考慮される。
〔４〕さらに、本発明の哺乳動物の移植受精卵からの産子作出方法では、前記工程＜ａ＞の完了後、１２時間〜２４時間以内に、前記工程＜ｂ＞として、二細胞期の受精卵を移植することが好ましく考慮される。
〔５〕また、本発明の哺乳動物の移植受精卵からの産子作出方法では、前記工程＜ａ＞の完了から２０時間〜２４時間以内に、前記工程＜ｂ＞として、前核期の受精卵を移植することが好ましく考慮される。
〔６〕さらに、本発明の哺乳動物の移植受精卵からの産子作出方法では、前記工程＜ａ＞における前記振動刺激が、毎分１８，０００〜２５，０００回であることが好ましく考慮される。
〔７〕また、本発明の哺乳動物の移植受精卵からの産子作出方法では、前記工程＜ａ＞における前記振動刺激として、１回３０秒の刺激を２〜７回繰り返し、かつ該刺激と刺激との間に３０秒〜５分のインターバルを挟むことが好ましく考慮される。
〔８〕さらに、本発明の哺乳動物の移植受精卵からの産子作出方法では、前記工程＜ａ＞における前記振動刺激として、３０秒〜１２０秒の刺激を１回与えることが好ましく考慮される。
〔９〕本発明の哺乳動物の移植受精卵からの産子作出用の偽妊娠誘起具は、
偏心分銅付きモータからなる振動発生装置と、
前記モータを収容するモータ収容部を有した本体部と、
前記本体部の先端部に対して着脱自在とされた、哺乳動物の膣内に挿入可能な挿入部材と、
を備えることを特徴とする。
〔１０〕本発明の哺乳動物の移植受精卵からの産子作出用の偽妊娠誘起具では、前記哺乳動物が、不完全性周期動物であることが好ましく考慮される。
〔１１〕また、本発明の哺乳動物の移植受精卵からの産子作出用の偽妊娠誘起具では、前記不完全性周期動物が、げっ歯目、重歯目、食虫目からなる群より選択される１種であることが好ましく考慮される。
〔１２〕さらに、本発明の哺乳動物の移植受精卵からの産子作出用の偽妊娠誘起具では、前記モータによって生じる振動が、毎分１８，０００〜２５，０００回であることが好ましく考慮される。
〔１３〕また、本発明の哺乳動物の移植受精卵からの産子作出用の偽妊娠誘起具では、前記挿入部材が弾性体であることが好ましく考慮される。
〔１４〕さらに、本発明の哺乳動物の移植受精卵からの産子作出用の偽妊娠誘起具では、前記弾性体の先端に、金属製の接触端部を備えることが好ましく考慮される。
【発明の効果】
【００２３】
本発明によれば、ラット等の実験動物のみならず家畜などの他の動物種にも応用できる、簡便であり、確実性、汎用性の高い哺乳動物の人工的偽妊娠の誘起方法および偽妊娠動物への移植受精卵からの産子作出方法が実現される。また、本発明によれば、小型軽量で操作の簡便な哺乳動物の移植受精卵からの産子作出用の人工的偽妊娠誘起具が実現される。
【図面の簡単な説明】
【００２４】
【図１】本発明の一実施形態である哺乳動物の移植受精卵からの産子作出用の偽妊娠誘起具の概略斜視図である。
【図２】図１の分解斜視図である。
【図３】図１の概略断面図である。
【図４】（ａ）（ｂ）は、哺乳動物の移植受精卵からの産子作出用の偽妊娠誘起具の挿入部材を示した概略斜視図である。
【発明を実施するための形態】
【００２５】
以下、本発明を実施の形態により詳細に説明する。
【００２６】
なお、本明細書中において、「人工的偽妊娠誘起」の用語は、哺乳動物の雌雄に実際に交尾をさせることなく、偽妊娠誘起具を用いて交尾刺激と同等の刺激を哺乳動物の雌に与え、偽妊娠を誘起することを意味する。
また、本明細書中において、「発情前期」とは、発情休止期の黄体が消失し、次の性周期に入る最初の段階を意味する。この時期に卵胞の発育が急速に始まり卵巣表面に突出する。
さらに、本明細書中において、「発情期」とは、哺乳動物が交尾をする時期であり、前述した発情前期において発育した卵胞から卵子の排卵が準備される時期を意味する。例えば、マウスの場合は、発情前期から発情期にかけて外部生殖器周辺が赤く腫脹するといった外観の変化が現れる。
【００２７】
本発明の哺乳動物の移植受精卵からの産子作出方法は、少なくとも以下の工程＜ａ＞＜ｂ＞を含むことを特徴とする。すなわち、＜ａ＞哺乳動物の偽妊娠誘起具を発情前期乃至発情期の哺乳動物の膣内に挿入し、前記偽妊娠誘起具の先端部を前記哺乳動物の子宮頚部に当接させ、該子宮頚部に振動刺激を与えて偽妊娠を誘起させる工程；＜ｂ＞前記工程＜ａ＞の後、前記哺乳動物の卵管および子宮内に前核期から桑実胚のいずれかの発育段階にある受精卵を移植する工程、の各工程を含んでいる。
【００２８】
工程＜ａ＞は、哺乳動物の偽妊娠誘起具を用いて、哺乳動物の子宮頚部に振動刺激を与える工程である。本発明の哺乳動物の移植受精卵からの産子作出方法を適用可能な哺乳動物としては、不完全性周期動物であることが好ましく考慮される。また、不完全性周期動物としては、例えば、ラット、マウス、ハムスター等のげっ歯類の他、ウサギ、ナキウサギ等の重歯類、スンクス（トガリネズミ）等の食虫類、ネコ等の食肉類等であることが好ましく、中でも、実験動物として大量に利用されているラット、マウスであることが特に好ましい。
【００２９】
このような哺乳動物が、発情前期乃至発情期にあることを確かめる方法としては、従来公知の方法を適宜用いることができる。例えば、ラットやマウスの場合、実験者が雌ラットや雌マウスの背中に手を置いたり、尾の付け根部分にリズミカルな振動を与えることで、背中を大きく弓なりに湾曲させた姿勢をとるロードシス反射の有無やイヤーウィッグリング等により確認することができる。ロードシス反射は、ラットやマウス等のげっ歯類のほか、ネコ等の食肉類でも認められる。ロードシス反射が起こらない哺乳動物については、例えば、エストロジェン等のホルモン濃度を測定することにより発情前期乃至発情期にあることを確かめる方法等が例示される。
【００３０】
上記の方法により哺乳動物が発情前期乃至発情期にあることを確認した後、偽妊娠誘起具を哺乳動物の膣内に挿入し、前記偽妊娠誘起具の先端部を哺乳動物の子宮頚部にやさしく当接させ、該子宮頚部に振動刺激を与える。振動刺激を与える際には、ストップウォッチ等を用いて刺激提示時間を確認しながら行う。また、偽妊娠誘起具を前後に細かく摺動させ、さらに子宮頚部を刺激することが好ましい。
【００３１】
偽妊娠誘起具は、哺乳動物の子宮頚部に振動刺激を与えることができる限り、その外観形状や給電方法等について特に制限されることはないが、哺乳動物を保定しつつ操作を行う必要があるため、小型、軽量かつ電源コードを廃したコードレス構造であることが望ましい。また、偽妊娠誘起具は、その先端部を哺乳動物の膣内に挿入することから、使用後に水洗いが可能な耐水、防水機能を備えていることが望ましい。さらにまた、先端部のみ取り外し可能であり、該先端部は消毒用アルコール等の薬剤に対する耐薬性を備えた材質や、煮沸またはオートクレーブ滅菌可能な材質からなることが好ましく考慮される。また、先端部が、一度使用するごとに廃棄することができるディスポーザブルな態様であることも好ましい。
【００３２】
このような偽妊娠誘起具としては、例えば、後述の偏心分銅付きモータからなる振動発生装置と、前記モータを収容するモータ収容部を有した本体部と、前記本体部の先端部に対して着脱自在とされた、哺乳動物の膣内に挿入可能な挿入部材と、を備えた構成であることが好ましく考慮される。
【００３３】
工程＜ａ＞における振動刺激としては、例えば、毎分１８，０００〜２５，０００回であることが好ましく考慮される。振動刺激が上記の範囲内であれば、短時間の刺激提示で確実に偽妊娠を誘起することができるが、必ずしも上記の数値範囲内に限定されるものでもない。
【００３４】
また、工程＜ａ＞における振動刺激としては、例えば、１回３０秒の刺激を２〜７回繰り返し、かつ該刺激と刺激との間に３０秒〜５分のインターバルを挟むことが好ましく例示される。なお、偽妊娠誘起具は、１回使用するごとに消毒することが望ましい。
【００３５】
ラットの交尾行動を一例にとると、雄ラットは、一晩の間に複数回の挿入及び射精を繰り返す。このような複数回の挿入及び射精のサイクルを「射精シリーズ」と呼称する。本発明者らは、一連の射精シリーズにおける挿入回数について調査したところ、雄ラットの挿入回数が７回未満では、妊娠が成立せず性周期に回帰するが、７回以上の挿入が確認できた場合には、ほぼ１００％妊娠が成立することを確認している。
【００３６】
一方、本発明者らは、後述の偽妊娠誘起具を用いた哺乳動物の人工的偽妊娠誘起実験において、必ずしも７回以上の振動刺激の提示が不可欠ではないことも確認している。具体的には、３０秒刺激、３０秒のインターバル、３０秒刺激（合計９０秒）の振動刺激を付与することで、ほぼ１００％偽妊娠を誘起可能であることを確認している。また、３０秒刺激、３０秒のインターバル、３０秒刺激、３０秒のインターバル、３０秒刺激（合計１５０秒）の振動刺激を付与することで、より確実に偽妊娠を誘起可能であることを確認している。
【００３７】
なお、刺激と刺激との間のインターバルは、前記射精シリーズにおいて、一度射精した後、次の挿入が可能となるまでの不応期の時間に基づき設定している。
【００３８】
また、工程＜ａ＞における前記振動刺激としては、例えば、インターバルを設けず、３０秒〜１２０秒の刺激を１回与えることも好ましく例示される。本発明の偽妊娠誘起具を用いた哺乳動物の人工的偽妊娠誘起では、自然に行われる交尾での刺激よりも短時間かつ高効率で偽妊娠を誘起することができる。具体的には、子宮頚部へ３０秒の刺激を1回与えると、およそ６０％の成功率で偽妊娠を誘起させることができる。また、刺激提示時間が長くなるほど偽妊娠誘起の成功率が高くなり、１２０秒でほぼ１００％に達する。
【００３９】
このような偽妊娠誘起の高効率化は、前記のとおり、偽妊娠誘起具の先端部を哺乳動物の子宮頚部に当接させ、子宮頚部にダイレクトに振動刺激を付与することに起因している。
【００４０】
上記のとおり、本発明の哺乳動物の人工的偽妊娠誘起法では、ほぼ確実に偽妊娠を誘起することができるため、従来、雌の哺乳動物に交尾刺激を与えるためだけにあらかじめ準備が必要であった、精管の結紮手術を施した雄の哺乳動物が不要となり、実験動物の削減が可能である。また、精管の結紮手術等に要していた多くの費用と労力を削減可能であり、作業効率や費用対効果を大幅に改善させることができる。さらにまた、従来、妊娠および偽妊娠の確認を目的として行なっていた、哺乳動物への膣内へ電極線を挿入し、電気伝導度を測定することによる膣スメアの有無の判定等が不要である。したがって、本発明の哺乳動物の人工的偽妊娠誘起法は、動物愛護の観点から優れており、しかも、偽妊娠動物の作出に当たり、工程数が従来よりも少なくなり、作業効率を向上可能である。
【００４１】
このような工程＜ａ＞の後、工程＜ｂ＞として、哺乳動物の卵管および子宮内に前核期から桑実胚のいずれかの発育段階にある受精卵を移植する。
【００４２】
前記受精卵は、哺乳動物の雄と雌の交尾の結果、自然に受精した受精卵であってもよいし、体外受精法や顕微授精法によって人工受精させた受精卵であってもよい。中でも、遺伝子操作等を伴う場合には、自然に受精した受精卵を用いることが好ましい。
【００４３】
体外受精法や顕微授精法による受精卵の作成に用いる卵子は、雌の哺乳動物の卵巣より採卵した新鮮卵子であってもよいし、凍結保存した卵子であってもよい。また、顕微授精法による受精卵の作成に用いる精子は、雄の哺乳動物から採精した新鮮精子であってもよいし、凍結保存した精子であってもよい。
【００４４】
受精卵の移植には、上記の各方法により受精・発育した受精卵を直ちに移植に用いてもよいし、凍結保存した受精卵を用いてもよい。
【００４５】
受精卵の採卵方法については、従来公知の各種方法を適用することができ、例えば、受精卵の培養に用いる液体培地を用いて卵管内を灌流フラッシングする方法等が例示される。
【００４６】
採精方法についても、従来公知の各種方法を適用することができ、例えば、マッサージ法、電気刺激法、水圧法、人工膣法等が例示される。
【００４７】
受精卵の発育段階については、本発明の方法によるり移植受精卵からの正常な産子を得られる割合が、従来の方法と遜色ない水準、すなわち、概ね４０〜６０％程度である限り、特段限定されることはない。例えば、前核期から桑実胚のいずれか、特に、前核期から二細胞期のいずれかの発生段階にあることが好ましく考慮される。特に、本発明の方法によれば、従来の受精卵移植による産子作出法では正常な産子の得られる割合が比較的低かった前核期の受精卵を用いた場合であっても、移植受精卵からの正常な産子を得られる割合が約４０％を上回る。
さらにまた、従来正常な産子の得られる割合が比較的低かった桑実胚を用いた場合であっても、従来の方法と遜色ない水準で移植受精卵からの正常な産子を得ることができる。
【００４８】
本発明の哺乳動物の人工的偽妊娠誘起による移植受精卵からの産子作出方法では、前記工程＜ａ＞の完了後、１２時間〜２４時間以内、好ましくは１７時間〜２０時間以内に、前記工程＜ｂ＞として、二細胞期の受精卵を移植することが好ましく考慮される。このような工程＜ａ＞と行程＜ｂ＞との間隔は、哺乳動物の雄と雌の交尾の結果、自然に受精した受精卵が二細胞期まで発育するタイミングとほぼ同期している。そのため、哺乳動物の卵管および子宮内は、二細胞期の移植受精卵にとって、最適な生理的環境が整っており、正常な産子が得られやすくなる。例えば、受精卵の移植予定日の前日、夕方頃に、施術者（実験者）が発情前期の哺乳動物に対し工程＜ａ＞の処置を施し、移植予定日当日の午前から夕方にかけて施術者（実験者）が工程＜ｂ＞の処置を施すタイムスケジュールを例示することができる。
【００４９】
また、本発明の哺乳動物の人工的偽妊娠誘起による移植受精卵からの産子作出方法では、前記工程＜ａ＞の完了から２０時間〜２４時間以内に、前記工程＜ｂ＞として、前核期の受精卵を移植することが好ましく考慮される。このような工程＜ａ＞と行程＜ｂ＞との間隔は、哺乳動物の雄と雌の交尾の結果、自然に受精した受精卵が前核期まで発育するタイミングとは、わずかに相違している。具体的には、哺乳動物の卵管および子宮内は、前核期より発育段階の進んだ受精卵に適した生理的環境にある。しかしながら、哺乳動物の卵管および子宮内は、移植受精卵の発育段階に応じて、最適な生理的環境にアジャストするとともに、移植受精卵の発育段階が進むまでの間、それ以上卵管および子宮内の生理的環境が後の発育段階にある受精卵に適した生理的環境に変化することがないよう、タイミングの同期が起こる。すなわち、母胎側が、生理的環境を移植受精卵に合わせてくれるといえる。そのため、従来、二細胞期の受精卵の移植より正常な産子が得られにくかった、前核期の受精卵の移植であっても、正常な産子が得られやすくなり、むしろ二細胞期の受精卵を移植した場合よりも高い割合で正常な産子を得ることができる。例えば、受精卵の移植予定日の前日、夕方頃に施術者（実験者）が発情前期の哺乳動物に対し工程＜ａ＞の処置を施し、施術者（実験者）が移植予定日当日の夕方に工程＜ｂ＞の処置を施すタイムスケジュールを例示することができる。
【００５０】
一方、本発明の哺乳動物の人工的偽妊娠誘起による移植受精卵からの産子作出方法では、哺乳動物の性周期が発情期に入っていれば、該哺乳動物に受精卵を移植する処置当日、例えば、工程＜ａ＞と行程＜ｂ＞との間隔が、１〜６時間以内、好ましくは１〜２時間以内であっても、哺乳動物の子宮頚部に振動刺激を付与し、受精卵の移植に適した人工的な偽妊娠を誘起することができる。受精卵移植当日における人工的偽妊娠を誘起する場合、移植に適した受精卵の発育ステージとしては、二細胞期または前核期が例示される。
【００５１】
このように、本発明の哺乳動物の人工的偽妊娠誘起による移植受精卵からの産子作出方法では、従来公知の方法において考慮が不可欠であった受精、着床後の受精卵の発育ステージの時間経過に束縛されることがなく、従来の手法と比較して自由度が高く、施術者の負担を減らすことも可能である。
【００５２】
このような哺乳動物の人工的偽妊娠誘起による移植受精卵からの産子作出方法に用いるために最適化された、哺乳動物の偽妊娠誘起具について、以下に図面に沿って詳細に説明する。
【００５３】
図１は、本発明の一実施形態である哺乳動物の移植受精卵からの産子作出用の偽妊娠誘起具の概略斜視図である。図２は、図１の分解斜視図である。また、図３は、図１の概略断面図である。
【００５４】
哺乳動物の移植受精卵からの産子作出用の偽妊娠誘起具１（以下、単に、偽妊娠誘起具１と呼称する）は、偏心分銅付きモータからなる振動発生装置２と、モータを収容するモータ収容部３を有した本体部４と、本体部４の先端部４１に対して着脱自在とされた、哺乳動物の膣内に挿入可能な挿入部材５と、を備えている。
【００５５】
本体部４は、挿入部材５に振動を付与するための振動発生装置２および電池収容部４６を有しており、図１から図３に示したように、本体部４に取り付けられる外装ケース４２を備えている。
【００５６】
本体部４の先端部４１は、縮径して挿入部材取り付け軸筒４３を形成している。挿入部材取り付け軸筒４３は、有蓋円筒状の軸筒であって、挿入部材５の円筒状の空間Ｓ２（図２参照）と連通している。また、挿入部材取り付け軸筒４３は、図３に示すように、その中心軸線が本体部４の中心軸線に対して、本体部４の後面４ａ側に偏寄するよう、本体部４の上面に形成されている。
【００５７】
本体部４の前面４ｂには、貫通口４４が貫通形成され、該貫通口４４および貫通口４４直下には空間Ｓ１が形成されており、貫通口４４および空間Ｓ１は可撓性のスイッチ部材４５にて閉塞されている。スイッチ部材４５は、エラストマー樹脂よりなり、貫通口４４の開口縁に対して融着させている。従って、指で外部から貫通口４４を閉塞したスイッチ部材４５を空間Ｓ１内に向かって押し込むことができる。
【００５８】
本体部４の挿入部材取り付け軸筒４３とは反対側の端部には、電池収容部４６が延出形成されている。電池収容部４６は、その底部に陽極端子金具４６ａが設けられ、上部には胴部４７から延びる陰極端子バネ４６ｂが設けられている。そして、電池収容部４６に、電池Ｂが収容されると、電池Ｂは陽極端子金具４６ａ及び陰極端子バネ４６ｂと電気的に接続された状態で電池収容部４６内に収容保持される。電池収容部４６は、着脱自在とされた有底筒体としての本体ケース４２により保護される。
【００５９】
電池Ｂは、市販の乾電池であってもよいし、着脱自在なリチウムイオン電池等の二次電池であってもよい。乾電池の場合、単三電池、単四電池などの比較的小型軽量なものであることが好ましい。
【００６０】
胴部４７の上側には、基板固定部４８が延出形成されている。基板固定部４８には、プリント配線基板４９が固設されている。プリント配線基板４９には、陽極端子金具４６ａ及び陰極端子バネ４６ｂと電気的に接続されているスイッチＳＷが実装されている。そして、プリント配線基板４９に実装されたスイッチＳＷは、外装ケース４２に設けたスイッチ部材４５と相対向する位置に実装されている。従って、スイッチ部材４５を指で押すと、スイッチＳＷは押し込まれたスイッチ部材４５にてオン・オフ動作する。
【００６１】
基板固定部４８の上側には、モータ収容部３が延出形成されている。モータ収容部３は、挿入部材取り付け軸筒４３の空間Ｓ１に内装されたとき、モータ収容部３の外周面は、挿入部材取り付け軸筒４３の内周面と密着するようになっている。
【００６２】
モータ収容部３には、モータＭが収容される。モータ収容部３に収容されたモータＭは、モータ収容部３が挿入部材取り付け軸筒４３の空間Ｓ１に内装されたとき、モータ収容部３から開放された部分の外周面がスペーサ３１を介して挿入部材取り付け軸筒４３の内周面と当接するようになっている。モータＭの回転軸は、モータ収容部３に上面から空間Ｓ１内に突出させ、その突出した回転軸に偏心分銅３２を固着させている。このような偏心分銅３２を備えるモータＭを振動発生装置２としている。
【００６３】
モータＭは、プリント配線基板４９に実装されたスイッチＳＷをオンさせると、電池Ｂの電圧が印加されて回転する。モータＭが回転すると、回転軸に固着した偏心分銅３２が回転軸を回転中心に偏心回転し、その偏心回転により回転軸が振られてモータ収容部３に収容保持されたモータＭ自身が振動する。そして、このモータＭの振動は、モータ収容部３を介して、同モータ収容部３と密接している挿入部材取り付け軸筒４３に伝搬されることになる。
【００６４】
モータＭによって生じる振動は、偽妊娠を誘起することができる限り、特に限定されることはないが、例えば、毎分１８，０００〜２５，０００回であることが好ましく考慮される。振動刺激が上記の範囲内であれば、短時間の刺激提示で確実に偽妊娠を誘起することができるが、必ずしも上記の数値範囲内に限定されるものでもない。
【００６５】
外装ケース４２は、ＡＢＳ樹脂やＰＰ樹脂などのプラスチック材料製のケースであって、作業者が握り込みやすいように、短手方向の断面が略円形となっている。その内部空間には上部開口部より本体部４の電池収容部４６が装着される。外装ケース４２の上部開口部の内周面形状は、胴部４７の下端部と同一形状であって、電池収容部４６および胴部４７の下端部が外装ケース４２に内装されるようになっている。
【００６６】
また、電池収容部４６および胴部４７の下端部が外装ケース４２に内装されるとき、胴部４７の下端部に設けられた環状溝のoリングＯが外装ケース４２の上部開口部に弾性変形して電池収容部４６および胴部４７と外装ケース４２との間を水密かつ弾性支持している。そして、本体部４を外装ケース４２に装着することによって、外装ケース４２によって偽妊娠誘起具１の把持部が形成されるとともに、電池収容部４６に収容保持された電池Ｂは外装ケース４２によって密閉収納される。
【００６７】
このように形成された外装ケース４２を備える本体部４の上側先端部４１（挿入部材取り付け軸筒４３）に、挿入部材５が装着される。
【００６８】
本体部４の先端部４１（挿入部材取り付け軸筒４３）に装着される挿入部材５は、その基端部５１の下端面５１ａには、嵌着孔５２が形成されている。嵌着孔５２は、本体部４の先端部４１に形成した挿入部材取り付け軸筒４３が着脱自在に圧入嵌着される。嵌着孔５２の内周面５２ａは、挿入部材取り付け軸筒４３が嵌着された時、挿入部材取り付け軸筒４３の外周面４３ａが密着される。従って、モータ収容部３を介して挿入部材取り付け軸筒４３に伝搬されるモータＭの振動は、挿入部材５の基端部５１から胴部５４を介して、哺乳動物の子宮頸部と当接する挿入部材５の先端５３に伝搬される。
【００６９】
挿入部材５の胴部５４は、図４（ａ）に示したように、挿入部材５の先端５３から基端部５１に向かって直径が一定になるように形成されており、基端部５１近傍で直径が太くなり、テーパー面を形成している。そして、挿入部材５の先端部は丸みを帯びており、哺乳動物の膣内への挿入時および子宮頸部への当接時に、器官を傷つけることがない。挿入部材５の直径および長さについては、哺乳動物の膣内への挿入時および子宮頸部への当接時に、器官を傷つけない限り、特に制限されることはなく、対象とする動物種に応じて適宜サイズ変更することができる。例えば、ラット用の挿入部材では、先端部近傍の直径が５ｍｍ程度、ラットの膣内に挿入する部分の長さが７ｃｍ程度であることが例示される。
【００７０】
挿入部材５の材質は、特に制限されることはないが、哺乳動物の膣内への挿入時および子宮頸部への当接時に、器官を傷つけることがないよう、弾性体であることが好ましく考慮される。弾性体としては、例えば、シリコン樹脂や、合成ゴム等が例示される。中でも、消毒用アルコール等の消毒薬を用いた殺菌処理や、煮沸またはオートクレーブ処理等の殺菌・滅菌処理を考慮すると、耐薬性や耐熱性に優れたシリコン樹脂製であることが特に好ましい。さらにまた、挿入部材５は、一度使用するごとに廃棄することができるディスポーザブルな態様であることも好ましい。
【００７１】
また、図４（ｂ）に示したように、挿入部材５の先端５３に金属製の接触端部５ａを備えることも好ましく考慮される。接触端部５ａの形状は、哺乳動物の卵管および膣内を傷つけることがなければ特に制限されることはないが、球形であることが望ましい。また、図４（ｂ）に示したように、哺乳動物の体内において接触端部５ａが挿入部材５から脱落することがないよう、例えば、挿入部材５の先端から半球状に露出し、残りの部分が挿入部材５に埋設された形状であることが例示される。また、接触端部５ａの材質は、母胎である哺乳動物への悪影響がない限り特に限定されることはないが、例えば、ステンレスや生体適合性が高いチタン等の耐食性に優れた金属製であることが例示される。
【００７２】
本発明の偽妊娠誘起具を適用可能な動物な哺乳動物は、不完全性周期動物である。例えば、ラット、マウス、ハムスター等のげっ歯類の他、ウサギ、ナキウサギ等の重歯類、スンクス（トガリネズミ）等の食虫類、ネコ等の食肉類等であることが好ましく、中でも、実験動物として大量に利用されているラット、マウスであることが特に好ましい。
【００７３】
本発明の偽妊娠誘起具は、上記のとおりの構成を具備していることにより、実験動物のみならず家畜などの他の動物種にも応用でき、しかも小型軽量で操作が簡便である。また、本発明の偽妊娠誘起具は、哺乳動物の子宮頚部に振動刺激を与えることができる限り、その外観形状や給電方法等について上記の実施形態によって何ら限定されることはない。さらにまた、本発明における偽妊娠誘起の工程においては、哺乳動物を保定しつつ操作を行う必要があるため、偽妊娠誘起具が小型、軽量かつ電源コードを廃したコードレス構造であることが望ましい。
【実施例】
【００７４】
以下、本発明を実施例によりさらに具体的に説明するが、本発明は以下の実施例により何ら限定されることはない。
＜実施例Ａ：本発明の方法により偽妊娠を誘起した哺乳動物の移植受精卵からの産子作出方法と従来法との比較＞
（１）供試動物
受精卵の採取およびそれに続く受精卵移植には、Iar:Wister-Imamichi系統のラット｛（一財）動物繁殖研究所｝を使用した。全ての動物
を明暗調節（７：００から１９：００まで照明）された恒温恒湿（気温２３℃±３℃、湿度５０％±１０％）室内で、プラスチック製のケージを用いて飼育した。また、全ての動物の飼育と実験手順は、岩手大学動物実験ガイドラインに則って行われるとともに、岩手大学動物研究委員会の承認を受けて行われた。
【００７５】
（２）受精卵の採取
８〜１３週齢の雌ラットをランダムに選択し、過排卵を誘発するために、ヒト絨毛性性腺刺激ホルモン（ｈＣＧ、あすかアニマルヘルス株式会社）を３００ＩＵ／ｋｇの濃度で腹腔内注射した４８時間後に、妊馬血清ゴナドトロピン（ＰＭＳＧ、あすかアニマルヘルス株式会社）を３００ＩＵ／ｋｇの濃度で腹腔内注射した。その後、雌ラットを１０週齢以上の成熟した雄ラットと一晩交尾させた。雌ラットに膣栓が存在していれば、確実に交尾が行われたと判断した。
【００７６】
ｈＣＧの注射２４時間後に、ＰＢ１培地を用いて卵管内を灌流フラッシングすることにより、前核期のラット受精卵を採取した。複数個のラット受精卵を、３７℃、ＣＯ２５％、空気９５％の環境下、新鮮なＨＴＦ培地中で二細胞期になるまで培養した。
【００７７】
（３）人為的な偽妊娠誘起雌ラットの作成
８〜１３週齢の発情前期の雌ラットを人為的な偽妊娠の誘起に使用した。雌ラットの膣内に本発明の偽妊娠誘起具を挿入し、該偽妊娠誘起具の挿入部材を子宮頚部にやさしく押し当てて振動刺激を付与した。偽妊娠誘起具による刺激は３０秒間、合計７回実施し、刺激と刺激の間には５分間のインターバルを設けた。なお、このインターバルの時間は、雄ラットの射精後の不応期の時間に基づいている。対照区として、精管結紮した雄ラットと交尾させて人為的な偽妊娠を誘起した雌ラットを用いた。
【００７８】
（４）受精卵移植
実施例１として、偽妊娠誘起具による人為的な偽妊娠誘起から１２時間後に、偽妊娠誘起雌ラットの卵管に二細胞期まで発育した受精卵を移植した。
【００７９】
また、実施例２として、偽妊娠誘起具による人為的な偽妊娠誘起から１２時間後に、偽妊娠誘起雌ラットの卵管に凍結保存していた二細胞期の受精卵を移植した。
【００８０】
さらにまた、実施例３として、偽妊娠誘起具による人為的な偽妊娠誘起から２４時間後に、偽妊娠誘起雌ラットの卵管に前核期の受精卵を移植した。
【００８１】
なお、対照区１として、精管結紮した雄ラットとの交尾から１２時間後に、偽妊娠誘起雌ラットの卵管に二細胞期まで発育した受精卵を移植した。
また、対照区２として、精管結紮した雄ラットとの交尾から１２時間後に、偽妊娠誘起雌ラットの卵管に凍結保存していた二細胞期の受精卵を移植した。
【００８２】
（５）データ解析
全てのデータは、カイ２乗検定の後、ライアンの方法による多重比較検定を行った。
【００８３】
このような実施例１〜３および対照区１、２の偽妊娠誘起雌ラットについて、移植した受精卵の着床割合および正常に発育した産仔数を妊娠２１日目に数えた。結果を表１に示す。
【００８４】
【表１】
2020182838.tif 000003
【００８５】
表１に示したように、実施例１では、移植した二細胞期の新鮮な受精卵のうち、６３％が着床し、５４％の受精卵から正常な産子が得られた。また、実施例２では、移植した二細胞期の凍結受精卵のうち、４６％が着床し、２４％の受精卵から正常な産子が得られた。実施例３では、移植した前核期の新鮮な受精卵のうち、７３％が着床し、６７％の受精卵から正常な産子が得られた。
【００８６】
なお、対照区１の精管結紮した雄ラットと交尾させて人為的な偽妊娠を誘起した雌ラットでは、移植した二細胞期の新鮮な受精卵のうち７２％が着床し、６３％の受精卵から正常な産子が得られた。
【００８７】
また、対照区２の精管結紮した雄ラットと交尾させて人為的な偽妊娠を誘起した雌ラットでは、移植した凍結受精卵のうち５６％が着床し、３２％の受精卵から正常な産子が得られた。これら対照区１、２の結果との対比より、実施例の人為的な偽妊娠を誘起した雌ラットでは、従来の方法と同程度の割合で正常な産子が得られることを確認できた。
【００８８】
＜実施例Ｂ：刺激方法による着床率、正常産子の割合の比較＞
実施例４として、子宮頚部への振動刺激の提示パターンを１２０秒間、１回としたこと以外は実施例１と同様にして偽妊娠誘起雌ラットの卵管に二細胞期の新鮮な受精卵を移植した。
【００８９】
また、実施例５として、子宮頚部への振動刺激の提示パターンを３０秒間、合計２回とし、かつ刺激と刺激との間に３０秒間のインターバルを設けた以外は、実施例１と同様にして偽妊娠誘起雌ラットの卵管に二細胞期の新鮮な受精卵を移植した。
【００９０】
実施例６として、子宮頚部への振動刺激の提示パターンを３０秒間、合計２回とし、かつ刺激と刺激との間に３０秒間のインターバルを設けた以外は、実施例３と同様にして偽妊娠誘起雌ラットの卵管に前核期の新鮮な受精卵を移植した。
【００９１】
実施例７として、子宮頚部への振動刺激の提示パターンを３０秒間、合計２回とし、刺激と刺激との間に３０秒間のインターバルを設けるとともに、偽妊娠誘起具による人為的な偽妊娠誘起から９６時間後に、実施例１と同様にして偽妊娠誘起雌ラットの卵管に新鮮な桑実胚を移植した。
【００９２】
このような実施例４〜７の偽妊娠誘起雌ラットについて、移植した受精卵の着床割合および正常に発育した産仔数を妊娠２１日目に数えた。結果を表２に示す。
【００９３】
【表２】
2020182838.tif 000004
【００９４】
表２に示したように、実施例４では、移植した二細胞期の新鮮な受精卵のうち、６４％が着床し、４０％の受精卵から正常な産子が得られた。また、実施例５では、移植した二細胞期の新鮮な受精卵のうち、６５％が着床し、６２％の受精卵から正常な産子が得られた。実施例６では、移植した前核期の新鮮な受精卵のうち、５２％が着床し、４３％の受精卵から正常な産子が得られた。また、実施例７では、移植した新鮮な桑実胚のうち、３０％が着床し、２１％の受精卵から正常な産子が得られた。
【００９５】
＜実施例Ｃ：受精卵（胚）移植当日における子宮頚部への刺激提示による着床率、正常産子の割合の比較＞
実施例８として、受精卵（胚）移植当日、具体的には１〜２時間前に刺激を提示したこと以外は、実施例５と同様にして偽妊娠誘起雌ラットの卵管に二細胞期の新鮮な受精卵を移植した。
【００９６】
また、実施例９として、受精卵（胚）移植当日、具体的には５〜６時間前に刺激を提示したこと以外は、実施例６と同様にして偽妊娠誘起雌ラットの卵管に前核期の新鮮な受精卵を移植した。
【００９７】
このような実施例８および９の偽妊娠誘起雌ラットについて、移植した受精卵の着床割合および正常に発育した産仔数を妊娠２１日目に数えた。結果を表３に示す。
【００９８】
【表３】
2020182838.tif 000005
【００９９】
表３に示したように、実施例８では、移植した二細胞期の新鮮な受精卵のうち、７５％が着床し、６８％の受精卵から正常な産子が得られた。また、実施例９では、移植した前核期の新鮮な受精卵のうち、７２％が着床し、６７％の受精卵から正常な産子が得られた。
【０１００】
したがって、本発明の哺乳動物の人工的偽妊娠の誘起方法および偽妊娠動物への移植受精卵からの産子作出方法では、従来の手法と同等かそれ以上の成功率で正常な産子が得られることが確認された。特に、受精卵（胚）移植当日に子宮頚部への振動刺激を付与した哺乳動物においては、受精卵の着床率が７０％を超え、かつ６５％以上の受精卵から正常な産子が得られることが確認された。また、従来、成功率の低かった前核期の受精卵および桑実胚を移植した場合であっても、従来法とほぼ遜色のない割合で正常な産子が得られることが確認された。
【符号の説明】
【０１０１】
１  偽妊娠誘起具
２  振動発生装置
３  モータ収容部
３１  スペーサ
３２  偏心分銅
４  本体部
４ａ  後面
４ｂ  前面
４１  先端部
４２  外装ケース
４３  挿入部材取り付け軸筒
４３ａ  外周面
４４  貫通口
４５  スイッチ部材
４６  電池収容部
４６ａ  陽極端子金具
４６ｂ  陰極端子バネ
４７  胴部
４８  基板固定部
４９  プリント配線基板
５、５’  挿入部材
５ａ  接触端部
５１  基端部
５１ａ  下端面
５２  嵌着孔
５２ａ  内周面
５３  先端
５４  胴部
Ｂ  電池
Ｍ  モータ
Ｏ  ｏリング
Ｓ１、Ｓ２  空間
ＳＷ  スイッチ 
【図１】
2020182838.tif 000006
【図２】
2020182838.tif 000007
【図３】
2020182838.tif 000008
【図４】
2020182838.tif 000009